(57)【特許請求の範囲】
【請求項１】
スピーカ又はマイクの各機能の設定に関する１以上の設定状態と、他の機器との接続に関する１以上の接続状態と、他の装置との通信に関する１以上の通信状態とのうち、少なくとも２つの状態を状態情報として取得する状態取得手段と、
前記状態取得手段によって前記状態情報が取得された場合に、音楽再生用のモードである音楽モードを会話用のモードである会話モードよりも優先するための情報である音楽優先情報、又は、前記会話モードを前記音楽モードよりも優先するための情報である会話優先情報が、前記状態取得手段によって取得可能な前記状態情報に対応付けられたデータである優先対応データを記憶する記憶手段を参照し、前記記憶手段に記憶された前記優先対応データに基づいて、前記音楽モードと前記会話モードとのうち、設定するモードを決定するモード決定手段と、
前記モード決定手段によって決定されたモードに応じて、前記スピーカから出力される音の周波数特性であるスピーカ特性と、前記マイクから入力された音の周波数特性であるマイク特性と、前記スピーカら出力される音のダイナミックレンジとのうち、少なくとも１つを調整する特性調整手段と
を備えたことを特徴とする音調整装置。
【請求項２】
前記音楽優先情報は、前記音楽モードの優先度を示す値である音楽優先値であり、
前記会話優先情報は、前記会話モードの優先度を示す値である会話優先値であり、
前記モード決定手段は、前記記憶手段に記憶された前記優先対応データから、前記状態取得手段によって取得された前記状態情報に対応する前記音楽優先値と前記会話優先値とを取得し、取得した前記音楽優先値の合計値と、前記会話優先値の合計値とを比較し、前記音楽モードと前記会話モードとのうち、優先度が高いモードを、設定するモードとして決定する請求項１に記載の音調整装置。
【請求項３】
前記モード決定手段は、前記状態取得手段によって取得された前記状態情報のうち、前記優先対応データにおいて前記音楽優先情報に対応付けられている前記状態情報の数と、前記会話優先情報に対応付けられている前記状態情報の数とを比較し、前記音楽モードと前記会話モードとのうち、前記状態情報の数が大きい方に対応するモードを、設定するモードとして決定することを特徴とする請求項１に記載の音調整装置。
【請求項４】
前記状態取得手段によって取得された前記状態情報が変化したか否かを判断する第一判断手段を備え、
前記モード決定手段は、前記第一判断手段によって前記状態が変化したと判断された場合に、設定するモードを新たに決定し、
前記特性調整手段は、前記モード決定手段によって決定された新たな前記モードに応じて、前記スピーカ特性と、前記マイク特性と、前記ダイナミックレンジとのうち、少なくとも１つを調整することを特徴とする請求項１から３のいずれかに記載の音調整装置。
【請求項５】
音に関する情報である音関連情報が、所定条件を満たすか否かを判断する第二判断手段を備え、
前記特性調整手段は、前記第二判断手段によって前記音関連情報が所定条件を満たさないと判断された場合に、前記音関連情報が前記所定条件を満たすように、前記マイク特性と、前記スピーカ特性と、前記ダイナミックレンジとのうち、少なくとも１つをさらに調整することを特徴とする請求項１から４のいずれかに記載の音調整装置。
【請求項６】
前記スピーカから出力され、前記マイクに入力された音であるエコーを低減させるエコーキャンセル手段を備え、
前記音関連情報は、前記エコーキャンセル手段によって低減された後に残った前記エコーである残留エコーのレベルであり、
前記所定条件は、前記残留エコーが所定値以下であるという条件であり、
前記特性調整手段は、
前記モード決定手段によって前記音楽モードが決定された場合、且つ、前記第二判断手段によって前記残留エコーのレベルが前記所定値以下ではないと判断された場合に、少なくとも前記マイク特性をさらに調整して利得を低下させ、前記残留エコーを低減し、
前記モード決定手段によって前記会話モードが決定された場合、且つ、前記第二判断手段によって前記残留エコーのレベルが前記所定値以下ではないと判断された場合に、少なくとも前記スピーカ特性をさらに調整して利得を低下させ、前記残留エコーを低減することを特徴とすることを特徴とする請求項５に記載の音調整装置。
【請求項７】
スピーカから音を出力し、マイクから音を入力可能な音調整装置において実行される音調整方法であって、
前記スピーカ又は前記マイクに関する機能についての１以上の設定状態と、他の機器に接続される場合の１以上の接続状態と、他の装置と通信を行う場合の１以上の通信状態とのうち、少なくとも２つの状態を状態情報として取得する状態取得ステップと、
前記状態取得ステップによって前記状態情報が取得された場合に、音楽再生用のモードである音楽モードを会話用のモードである会話モードよりも優先するための情報である音楽優先情報、又は、前記会話モードを前記音楽モードよりも優先するための情報である会話優先情報が、前記状態取得ステップによって取得可能な前記状態情報に対応付けられたデータである優先対応データを記憶する記憶手段を参照し、前記記憶手段に記憶された前記優先対応データに基づいて、前記音楽モードと前記会話モードとのうち、設定するモードを決定するモード決定ステップと、
前記モード決定ステップによって決定されたモードに応じて、前記スピーカから出力される音の周波数特性であるスピーカ特性と、前記マイクから入力された音の周波数特性であるマイク特性と、前記スピーカら出力される音のダイナミックレンジとのうち、少なくとも１つを調整する特性調整ステップと
を備えたことを特徴とする音調整方法。
【請求項８】
スピーカから音を出力し、マイクから音を入力可能な音調整装置において実行される音調整プログラムであって、
前記音調整装置のコントローラに、
前記スピーカ又は前記マイクに関する機能についての１以上の設定状態と、他の機器に接続される場合の１以上の接続状態と、他の装置と通信を行う場合の１以上の通信状態とのうち、少なくとも２つの状態を状態情報として取得する状態取得ステップと、
前記状態取得ステップによって前記状態情報が取得された場合に、音楽再生用のモードである音楽モードを会話用のモードである会話モードよりも優先するための情報である音楽優先情報、又は、前記会話モードを前記音楽モードよりも優先するための情報である会話優先情報が、前記状態取得ステップによって取得可能な前記状態情報に対応付けられたデータである優先対応データを記憶する記憶手段を参照し、前記記憶手段に記憶された前記優先対応データに基づいて、前記音楽モードと前記会話モードとのうち、設定するモードを決定するモード決定ステップと、
前記モード決定ステップによって決定されたモードに応じて、前記スピーカから出力される音の周波数特性であるスピーカ特性と、前記マイクから入力された音の周波数特性であるマイク特性と、前記スピーカら出力される音のダイナミックレンジとのうち、少なくとも１つを調整する特性調整ステップと
を実行させることを特徴とする音調整プログラム。
【発明の詳細な説明】
【技術分野】
【０００１】
本発明は、音信号を調整可能な音調整装置、音調整方法、及び音調整プログラムに関する。
【背景技術】
【０００２】
従来、スピーカやマイクを備え、音信号を調整可能な音調整装置が知られている。例えば、特許文献１に記載の移動電話は、周囲の環境の背景ノイズレベルの増加に応じて、自動的にマイクの利得を減少させ、スピーカの利得を増加させることができる。マイクの利得の減少とスピーカの利得の増加は、それぞれ、背景ノイズレベルの増加に比例している。
【先行技術文献】
【特許文献】
【０００３】
【特許文献１】特開２０１０−１０９９９２号公報
【発明の概要】
【発明が解決しようとする課題】
【０００４】
音調整装置は、音楽をスピーカから出力して音楽を聴いたり、他の装置を使用するユーザとの間で会話を行ったりする目的で使用される場合がある。この場合、音調整装置は、ユーザの目的に応じて、スピーカから出力する音やマイクから入力した音の特性（例えば、スピーカから出力する音やマイクから入力した音の周波数特性（利得又は帯域、若しくは、利得と帯域との両方）やダイナミックレンジなど）を変更することが望ましい。しかしながら、従来の装置は、背景ノイズレベルという単一の条件に応じて、マイクの利得の減少、スピーカの利得の増加を個別に調整しているため、複数の目的に用いる場合、各目的に適すようスピーカから出力する音やマイクから入力した音の特性を調整することができないという問題点があった。
【０００５】
本発明の目的は、ユーザの意図する目的に応じて、スピーカから出力する音やマイクから入力した音の特性を自動で調整可能な音調整装置、音調整方法、及び音調整プログラムを提供することである。
【課題を解決するための手段】
【０００６】
本発明の第１の態様に係る音調整装置は、スピーカ又はマイクの各機能の設定に関する１以上の設定状態と、他の機器との接続に関する１以上の接続状態と、他の装置との通信に関する１以上の通信状態とのうち、少なくとも２つの状態を状態情報として取得する状態取得手段と、前記状態取得手段によって前記状態情報が取得された場合に、音楽再生用のモードである音楽モードを会話用のモードである会話モードよりも優先するための情報である音楽優先情報、又は、前記会話モードを前記音楽モードよりも優先するための情報である会話優先情報が、前記状態取得手段によって取得可能な前記状態情報に対応付けられたデータである優先対応データを記憶する記憶手段を参照し、前記記憶手段に記憶された前記優先対応データに基づいて、前記音楽モードと前記会話モードとのうち、設定するモードを決定するモード決定手段と、前記モード決定手段によって決定されたモードに応じて、前記スピーカから出力される音の周波数特性であるスピーカ特性と、前記マイクから入力された音の周波数特性であるマイク特性と、前記スピーカら出力される音のダイナミックレンジとのうち、少なくとも１つを調整する特性調整手段とを備えている。
【０００７】
ユーザは、音楽を聴きたい場合や、会話をしたい場合に、音調整装置対して種々の操作等を行う。これによって、設定状態、接続状態、通信状態等が設定される。音調整装置は、ユーザによって設定された状態を、状態情報として取得して、音楽モード又は会話モードのいずれに設定するかを決定し、スピーカ特性とマイク特性とダイナミックレンジとのうちの少なくとも１つを調整する。すなわち、音調整装置は、ユーザの意図する目的に応じて、スピーカから出力する音やマイクから入力した音の特性を自動で調整できる。
【０００８】
また、モードの決定に音楽優先情報と会話優先情報とが反映される。このため、音楽優先情報と会話優先情報とが反映されない場合に比べてより確実に、ユーザが意図する目的に合致したモードに設定できる。
【０００９】
前記音調整装置において、前記音楽優先情報は、前記音楽モードの優先度を示す値であるである音楽優先値であり、前記会話優先情報は、前記会話モードの優先度を示す値であるである会話優先値であり、前記モード決定手段は、前記記憶手段に記憶された前記優先対応データから、前記状態取得手段によって取得された前記状態情報に対応する前記音楽優先値と前記会話優先値とを取得し、取得した前記音楽優先値の合計値と、前記会話優先値の合計値とを比較し、前記音楽モードと前記会話モードとのうち、優先度が高いモードを、設定するモードとして決定してもよい。この場合、優先度が高いモードに設定することができる。このため、優先度を反映しない場合に比べてより確実に、ユーザが意図する目的に合致したモードに設定できる。
【００１０】
前記音調整装置において、前記モード決定手段は、前記状態取得手段によって取得された前記状態情報のうち、前記優先対応データにおいて前記音楽優先情報に対応付けられている前記状態情報の数と、前記会話優先情報に対応付けられている前記状態情報の数とを比較し、前記音楽モードと前記会話モードとのうち、前記状態情報の数が大きい方に対応するモードを、設定するモードとして決定してもよい。この場合、いわば多数決によって、モードを決定することができる。このため、数を反映しない場合に比べてより確実に、ユーザが意図する目的に合致したモードに設定できる。
【００１１】
前記音調整装置は、前記状態取得手段によって取得された前記状態情報が変化したか否かを判断する第一判断手段を備え、前記モード決定手段は、前記第一判断手段によって前記状態が変化したと判断された場合に、設定するモードを新たに決定し、前記特性調整手段は、前記モード決定手段によって決定された新たな前記モードに応じて、前記スピーカ特性と、前記マイク特性と、前記ダイナミックレンジとのうち、少なくとも１つを調整してもよい。この場合、状態情報が変化したタイミングで、モードが新たに決定され、モードに応じてスピーカ特性とマイク特性とダイナミックレンジとのうちの少なくとも１つが自動で調整される。このため、ユーザが新たな操作を行ったタイミングですぐに特性を調整することができる。よって、ユーザは、新たな操作を行った直後から、ユーザの意図する目的に応じて調整された特性で、音楽を聴いたり、会話をしたりすることができる。
【００１２】
前記音調整装置は、音に関する情報である音関連情報が、所定条件を満たすか否かを判断する第二判断手段を備え、前記特性調整手段は、前記第二判断手段によって前記音関連情報が所定条件を満たさないと判断された場合に、前記音関連情報が前記所定条件を満たすように、前記マイク特性と、前記スピーカ特性と、前記ダイナミックレンジとのうち、少なくとも１つをさらに調整してもよい。この場合、音関連情報が所定条件を満たすように自動で調整される。故に、ユーザが音調整装置を操作するなどして、音関連情報が所定条件を満たすようにする必要がなく、ユーザの利便性が向上する。
【００１３】
前記音調整装置は、前記スピーカから出力され、前記マイクに入力された音であるエコーを低減させるエコーキャンセル手段を備え、前記音関連情報は、前記エコーキャンセル手段によって低減された後に残った前記エコーである残留エコーのレベルであり、前記所定条件は、前記残留エコーが所定値以下であるという条件であり、前記特性調整手段は、前記モード決定手段によって前記音楽モードが決定された場合、且つ、前記第二判断手段によって前記残留エコーのレベルが前記所定値以下でないと判断された場合に、少なくとも前記マイク特性をさらに調整して利得を低下させ、前記残留エコーを低減し、前記モード決定手段によって前記会話モードが決定された場合、且つ、前記第二判断手段によって前記残留エコーのレベルが前記所定値以下でないと判断された場合に、少なくとも前記スピーカ特性をさらに調整して利得を低下させ、前記残留エコーを低減してもよい。この場合、ユーザの意図する目的に応じてモードを決定して周波数特性を調整すると共に、ユーザの意図する目的に応じて残留エコーを低減するための調整対象（マイク特性とスピーカ特性との少なくとも一方）を決め、残留エコーを低減することができる。このため、ユーザの意図する目的にあった音質、音量で、ユーザが音調整装置を使用できると共に、残留エコーが残って会話の相手に不快なエコーを聴かせることを防止できる。
【００１４】
本発明の第２の態様に係る音調整方法は、スピーカから音を出力し、マイクから音を入力可能な音調整装置において実行される音調整方法であって、前記スピーカ又は前記マイクに関する機能についての１以上の設定状態と、他の機器に接続される場合の１以上の接続状態と、他の装置と通信を行う場合の１以上の通信状態とのうち、少なくとも２つの状態を状態情報として取得する状態取得ステップと、前記状態取得ステップによって前記状態情報が取得された場合に、音楽再生用のモードである音楽モードを会話用のモードである会話モードよりも優先するための情報である音楽優先情報、又は、前記会話モードを前記音楽モードよりも優先するための情報である会話優先情報が、前記状態取得ステップによって取得可能な前記状態情報に対応付けられたデータである優先対応データを記憶する記憶手段を参照し、前記記憶手段に記憶された前記優先対応データに基づいて、前記音楽モードと前記会話モードとのうち、設定するモードを決定するモード決定ステップと、前記モード決定ステップによって決定されたモードに応じて、前記スピーカから出力される音の周波数特性であるスピーカ特性と、前記マイクから入力された音の周波数特性であるマイク特性と、前記スピーカら出力される音のダイナミックレンジとのうち、少なくとも１つを調整する特性調整ステップとを備えてもよい。この場合、ユーザの意図する目的に応じて、自動でスピーカから出力する音や、マイクから入力した音の周波数特性を調整できる。
【００１５】
本発明の第３の態様に係る音調整プログラムは、スピーカから音を出力し、マイクから音を入力可能な音調整装置において実行される音調整プログラムであって、前記音調整装置のコントローラに、前記スピーカ又は前記マイクに関する機能についての１以上の設定状態と、他の機器に接続される場合の１以上の接続状態と、他の装置と通信を行う場合の１以上の通信状態とのうち、少なくとも２つの状態を状態情報として取得する状態取得ステップと、前記状態取得ステップによって前記状態情報が取得された場合に、音楽再生用のモードである音楽モードを会話用のモードである会話モードよりも優先するための情報である音楽優先情報、又は、前記会話モードを前記音楽モードよりも優先するための情報である会話優先情報が、前記状態取得ステップによって取得可能な前記状態情報に対応付けられたデータである優先対応データを記憶する記憶手段を参照し、前記記憶手段に記憶された前記優先対応データに基づいて、前記音楽モードと前記会話モードとのうち、設定するモードを決定するモード決定ステップと、前記モード決定ステップによって決定されたモードに応じて、前記スピーカから出力される音の周波数特性であるスピーカ特性と、前記マイクから入力された音の周波数特性であるマイク特性と、前記スピーカら出力される音のダイナミックレンジとのうち、少なくとも１つを調整する特性調整ステップとを実行させる。この場合、ユーザの意図する目的に応じて、自動でスピーカから出力する音や、マイクから入力した音の周波数特性を調整できる。
【図面の簡単な説明】
【００１６】
【図１】水平方向を向いた音調整装置１を一人のユーザが使用している様子を示す図である。
【図２】上方方向を向いた音調整装置１を複数のユーザが使用している様子を示す図である。
【図３】高音質再生を設定する場合の周波数特性の変化を示す図である。
【図４】ＤＲＣを設定する場合のダイナミックレンジの変化を示す図である。
【図５】音調整装置１の電気的構成を示すブロック図である。
【図６】優先対応データテーブル９５のデータ構成図である。
【図７】メイン処理のフローチャートである。
【図８】会話設定処理のフローチャートである。
【図９】音楽設定処理のフローチャートである。
【図１０】図６に示す優先対応データテーブル９５を使用したモードの決定の第一の例を示す図である。
【図１１】図６に示す優先対応データテーブル９５を使用したモードの決定の第二の例を示す図である。
【図１２】図６に示す優先対応データテーブル９５を使用したモードの決定の第三の例を示す図である。
【図１３】エコーと残留エコーとを示す周波数特性図である。
【図１４】図１３に示す残留エコーが低減後の周波数特性図である。
【発明を実施するための形態】
【００１７】
以下、本発明を具現化した音調整装置１について、図面を参照して説明する。ユーザは音調整装置１を使用して、携帯音楽端末から出力される音楽やパーソナルコンピュータ（以下、ＰＣという。）を介して音調整装置１に送信される音楽を聞くことができる。また、ユーザは、音調整装置１を使用して、他の拠点にいるユーザと音声会議や電話等の会話をすることができる。図１に示すように、音調整装置１は、長方体状の筐体１１を有する。音調整装置１は、スピーカ１１２及びマイク１１３を備えている。スピーカ１１２は、筐体１１の１つの面の中央に設けられている。マイク１１３は、左マイク１１３１と右マイク１１３２とを含む。左マイク１１３１は、スピーカ１１２の左側（図１の左側）に設けられている。右マイク１１３２は、スピーカ１１２の右側（図１の右側）に設けられている。
【００１８】
音調整装置１は、筐体１１の向きを変更して使用することができる。例えば、ユーザが音調整装置１を一人で使用する場合、図１に示すように、スピーカ１１２及びマイク１１３が設けられている面をユーザに向ける。スピーカ１１２及びマイク１１３がユーザに向いているため、音調整装置１は、ユーザにスピーカ１１２からの音を届けやすく、ユーザの声をマイク１１３で集音し易い。
【００１９】
また、例えば、複数のユーザが音調整装置１を使用する場合、図２に示すように、スピーカ１１２及びマイク１１３が設けられている面を上方向に向ける。スピーカ１１２が上方向に向いているため、スピーカ１１２から出力された音が周囲に広がり易くなる。このため、音調整装置１の周囲の複数人のユーザは、スピーカ１１２から出力される音を聞き易くなる。また、マイク１１３が上方向に向いているため、音調整装置１の周囲の複数人のユーザの声がマイク１１３に届き易くなり、複数人のユーザの声が集音され易くなる。以下の説明では、スピーカ１１２及びマイク１１３が設けられている面が水平方向に向いている場合（図１参照）、音調整装置１が水平方向を向いているといい、当該面が上方向に向いている場合（図２参照）、音調整装置１が上方向に向いているという。なお、音調整装置１には、ＰＣ２、携帯電話、携帯音楽端末、及び他の音調整装置等を接続することができる。また、音調整装置１はアナログ電話機能を有しており、ＰＳＴＮ（公衆電話交換回線網）に接続することができる。図１及び図２では、音調整装置１にＰＣ２を接続した例を示している。
【００２０】
図３及び図４を参照して、音調整装置１が有する音の出力及び集音についての機能について説明する。音調整装置１は、音楽再生用のモード（以下、「音楽モード」という。）と、会話用のモード（以下、「会話モード」という。）に設定可能である。すなわち、ユーザは音調整装置１を使用して、音楽を聞いたり、会話をしたりすることができる。また、モード（音楽モード、会話モード）に応じて、スピーカ１１２から出力される音の周波数特性、ダイナミックレンジと、マイク１１３から入力された音の周波数特性とを調整できる。以下の説明では、スピーカ１１２から出力される音の周波数特性を「スピーカ特性」という。また、マイク１１３から入力された音の周波数特性を「マイク特性」という。
【００２１】
音調整装置１は、マイクミュート、ＤＲＣ（Ｄｉｎａｍｉｃ  Ｒａｎｇｅ  Ｃｏｍｐｒｅｓｓｉｏｎ）、高音質再生、及びビームフォーミング等の機能を有する。マイクミュートとは、マイク１１３の集音を停止する機能である。高音質再生とは、音楽を再生する場合に、音楽を高音質で再生するための機能である。例えば、高音質再生の設定が解除されている場合のスピーカ特性が、図３に示す周波数特性６０１であるとする。高音質再生が設定されると、図３に示す周波数特性６０２のようにスピーカ特性が調整される。周波数特性６０１は、会話モード用の周波数特性である。周波数特性６０１は、フィルタを通して会話に必要のない周波数をカットするなどして、残留エコー（後述）が残りにくく、ユーザが快適な会話を行うことができるように設定されている。高音質再生における周波数特性６０２は、周波数特性６０１に比べ、低音域及び高音域が延び、全体の周波数特性もフラットになる。
【００２２】
ＤＲＣとは、スピーカから出力される音の信号のダイナミックレンジを圧縮する機能である。音調整装置１は、会話モードに設定され、高音質再生の設定が解除される場合、ＤＲＣを設定する。図４に示すように、ダイナミックレンジ６０６，６０７は、音調整装置１が再現可能な最大の音圧レベル６０４と最小の音圧レベル（雑音のレベル）６０５との差を表す。ＤＲＣが設定されると、最大の音圧レベル６０４のレベルが下がり、最小の音圧レベル６０５が上がる。最大の音圧レベル６０４が下がるので、大きな音信号は減衰される。このため、大音量がスピーカ１１２から出力されることを防止できる。また、最小の音圧レベル６０５が上がるので、小さい音信号は増幅される。このため、小さい音がより大きな音量でスピーカ１１２から出力される。このため、ユーザが小さい音（例えば、ユーザの小さな声）をより聴きやすくなる。このように、ＤＲＣが設定されると、大音量が出力されるのを防止でき、小さい音が大きく出力されるので、ユーザは人の声を聴きやすくなる。
【００２３】
また、音調整装置１は、音楽モードに設定され、高音質再生に設定される場合、ＤＲＣの設定を解除する。ＤＲＣが解除されると、広いダイナミックレンジ６０６で音楽を再生することができる。よって、音楽信号本来のダイナミックレンジを保った再生を行うことができる。故に、ユーザは高音質な音楽を聴くことができる。
【００２４】
ビームフォーミングとは、集音範囲を任意に変更する機能であり、いわゆる指向性を持った集音を行う機能である。左右に並べて配置された個々のマイク１１３１，１１３２に到達する音は、マイク１１３１，１１３２の並び方向に対してどの方向から到達したかによって、その到達時間に差を生ずる。例えば、マイク１１３１，１１３２の並び方向と直交する方向（便宜上、「正面方向」とする。）から音が到達する場合、音は各マイク１１３１，１１３２に同時に到達する。このため、個々のマイク１１３１，１１３２から音信号が入力され、音入力処理部１２７（図５参照）において電気的に足し合わされることによって、マイク１１３１，１１３２の数に相当する分の倍率（すなわち、２倍）に増幅された音の出力が得られることとなる。
【００２５】
一方、マイク１１３１，１１３２の並び方向に対し斜めの方向（便宜上、「斜め方向」とする。なお、側方も含む。）から音が到達する場合、音の発生源に近いマイクほど早く音が到達するため、個々のマイク１１３１，１１３２が取得する音に時間差（位相ずれ）を生ずる。このため、マイク１１３１，１１３２からの音信号を音入力処理部２２において電気的に足し合わせた場合の音のゲインは、各マイク１１３１，１１３２への音の到達角度とマイク１１３１，１１３２の配置間隔（あるいは配置位置）に応じたものとなり、正面方向から到達した場合よりも小さくなる。個々のマイク１１３１，１１３２の配置間隔はあらかじめ判っているので、指向性制御部１２２（図５参照）において各マイクの取得する音の時間差を取得してＣＰＵ１０１で解析すれば、音の発生源の方向を求めることができる。
【００２６】
また、指向性制御部１２２では、個々のマイク１１３１，１１３２で集音した音をそれぞれ遅延させた上で音入力処理部１２７に出力することができる。このことは、ＣＰＵ１０１が個々のマイク１１３１，１１３２への入力に対する遅延時間を制御することにより、所定の斜め方向から到達する音を足し合わせた場合のゲインを最大とすることができることを意味する。言い換えると、個々のマイク１１３１，１１３２からの入力を指向性制御部２６において電気的に制御して遅延させることにより、所望する方向に対し、マイク１１３が指向性を得ることができる。
【００２７】
本実施形態では一例として、ビームフォーミングの設定が解除されている時は、マイク１１３１，１１３２が集音できる全範囲の音が集音されるとする。そして、ビームフォーミングが設定されている時は、ＣＰＵ１０１は、指向性制御部１２２を制御し、集音範囲を任意に変更し、例えば、マイク１１３１，１１３２との間の中心から右に１５°、左に１５°の範囲に集音範囲を変更するとする。この場合、音調整装置１は、変更された集音範囲にいるユーザの声をより明瞭に集音し、周囲の雑音は低減できる。このように、ビームフォーミングが設定されている場合、解除されている場合では、集音範囲が異なる。集音範囲が異なると、集音される音の周波数特性も異なってくる。すなわち、ビームフォーミングが設定・解除されると、マイク特性が調整されていることとなる。
【００２８】
図５を参照して、音調整装置１の電気的構成について説明する。音調整装置１は、ＣＰＵ１０１、ＲＯＭ１０２、ＲＡＭ１０３、及びフラッシュメモリ１０４を備えている。ＲＯＭ１０２、ＲＡＭ１０３、及びフラッシュメモリ１０４は、ＣＰＵ１０１に接続されている。ＲＯＭ１０２には、種々のプログラムデータ等が記憶される。ＲＡＭ１０３には、一時的なデータが記憶される。フラッシュメモリ１０４には、ＣＰＵ１０１の制御プログラム（例えば、後述するメイン処理等のプログラム）や各種データ等が記憶される。
【００２９】
音調整装置１は、高音質再生ボタン１０６、ビームフォーミングボタン１０７、ボリュームボタン１０８、及びマイクミュートボタン１０９を備えている。高音質再生ボタン１０６、ビームフォーミングボタン１０７、ボリュームボタン１０８、及びマイクミュートボタン１０９は、ＣＰＵ１０１に電気的に接続されている。ユーザは、高音質再生ボタン１０６、ビームフォーミングボタン１０７、ボリュームボタン１０８、及びマイクミュートボタン１０９を操作（押下）することで、高音質再生の設定・解除、ビームフォーミングの設定・解除、ボリュームの上げ下げ、マイクミュートの設定・解除を行うことができる。
【００３０】
音調整装置１は、加速度センサ１１０、駆動回路１１１、スピーカ１１２、マイク１１３、駆動回路１１４、駆動回路１１５、及びエコーキャンセラ１１６を備えている。駆動回路１１１は、ＣＰＵ１０１及び加速度センサ１１０に電気的に接続されている。加速度センサ１１０は、音調整装置１の傾きに応じた電圧を出力する。駆動回路１１１は、加速度センサ１１０から出力された電圧を増幅してＣＰＵ１０１に入力する。ＣＰＵ１０１は、入力された電圧に基づいて音調整装置１の傾きを検出する。ＣＰＵ１０１は、音調整装置１が上方向に向いているか、水平方向に向いているかを判断できる。
【００３１】
駆動回路１１４は、スピーカ１１２及びエコーキャンセラ１１６に接続されている。駆動回路１１５は、マイク１１３及びエコーキャンセラ１１６に接続されている。ＣＰＵ１０１から出力された音データは、駆動回路１１４で、周波数特性の調整、ダイナミックレンジの調整（ＤＲＣの設定・解除）、Ｄ／Ａ変換等が行われる。そして、スピーカ１１２から音が出力される。
【００３２】
マイク１１３は周囲の音を集音する。マイク１１３は、左マイク１１３１及び右マイク１１３２（図１参照）を含む。駆動回路１１５は、指向性制御部１２２及び音入力処理部１２７等を有する。ＣＰＵ１０１は、駆動回路１１５の指向性制御部１２２を制御して、マイク１１３１，１１３２からの入力を電気的に制御して遅延させることにより、所望する方向に対し、マイク１１３が指向性を得るように設定することができる。ＣＰＵ１０１は、駆動回路１１５の音入力処理部１２７を制御して、指向性制御部１２２から出力されたマイク１１３１，１１３２からの音信号を電気的に足し合わせることができる。また、駆動回路１１５は、音の周波数特性の調整、Ａ／Ｄ変換等を行って、ＣＰＵ１０１に出力することができる。
【００３３】
ここで、スピーカ１１２から出力された音の一部がマイク１１３によって集音され（図５の矢印６０参照）、エコーやハウリングの原因となる場合がある。エコーキャンセラ１１６は、エコーやハウリングの発生を抑制する。なお、エコーキャンセラ１１６は、実際には、ＣＰＵ１０１がプログラムによって実行する処理であるが、図５では、説明を分かり易くするために、回路ブロックとして示している。なお、エコーキャンセラ１１６は回路によって実現してもよいし、ＣＰＵ１０１とは別途設けられたＤＳＰチップ内で動作する複数のプログラムのうちの１つであってもよい。
【００３４】
音調整装置１は、モジュラージャック１１８、ライン入出力端子１１９、ディジーチェーン端子１２０、及びＵＳＢ（Ｕｎｉｖｅｒｓａｌ  Ｓｅｒｉａｌ  Ｂｕｓ）端子１２１を備えている。モジュラージャック１１８、ライン入出力端子１１９、ディジーチェーン端子１２０、及びＵＳＢ端子１２１は、ＣＰＵ１０１に接続されている。モジュラージャック１１８には、電話線１２３を接続可能である。前述したように、音調整装置１は、アナログ電話機能を有している。ユーザは、電話線１２３が接続されたＰＳＴＮ網を介して、他のユーザと会話をすることができる。
【００３５】
ライン入出力端子１１９には、図示外の携帯端末（携帯音楽端末及び携帯電話等）に接続されたケーブルの一端に設けられた３極プラグ１２４、又は４極プラグ１２５を接続可能である。３極プラグ１２４は、グランド端子（以下、ＧＮＤ端子という。）、Ｌｃｈ端子、Ｒｃｈ端子の３極の端子を有する。Ｌｃｈ端子は、Ｌｃｈ（Ｌｅｆｔ  ｃｈａｎｎｅｌ）の音を入力するための端子である。Ｒｃｈ端子は、Ｒｃｈ（Ｒｉｇｈｔ  ｃｈａｎｎｅｌ）の音を入力するための端子である。４極プラグ１２５は、ＧＮＤ端子、Ｌｃｈ端子、Ｒｃｈ端子、及びマイク端子を有する。例えば、音調整装置１が、無線通信網を介して通信可能な携帯電話に接続されたとする。この場合、ＣＰＵ１０１は、マイク１１３によって集音された音信号を、４極プラグ１２５のマイク端子、携帯端末、及び無線通信網を介して、他のユーザが使用する携帯電話に送信することができる。また、ＣＰＵ１０１は、他のユーザが使用する携帯電話から送信された音信号を、Ｌｃｈ端子、Ｒｃｈ端子を介して取得し、スピーカ１１２から出力することができる。
【００３６】
ディジーチェーン端子１２０は、通信ケーブルによって他の音調整装置５をディジーチェーン接続するための端子である。ディジーチェーン接続とは、装置を数珠つなぎに連結する接続方法である。故に、音調整装置１，５以外の音調整装置をさらにディジーチェーン接続して、音調整装置の台数を増やすことができる。ＵＳＢ端子１２１には、通信ケーブルを介してＰＣ２が接続される。ＰＣ２は、通信網（例えば、インターネット網）６に接続される。ＣＰＵ１０１は、ＰＣ２のＣＰＵ２０１、及び通信網６を介して、他の装置と通信を行うことができる。ＣＰＵ１０１はマイク・スピーカストリーム通信、又は、スピーカストリーム通信を行うことができる。なお、マイク・スピーカストリーム通信及びスピーカストリーム通信は、ユーザがＰＣ２を操作して各通信を実行する指示をＰＣ２に入力することで開始される。
【００３７】
マイク・スピーカストリーム通信とは、ＰＣ２からＣＰＵ１０１にスピーカ１１２から出力するための音データが送信されており、且つ、マイク１１３から入力された音データが、ＣＰＵ１０１からＰＣ２へ送信されている状態である。ユーザは、マイク・スピーカストリーム通信によって、スピーカ１１２から出力するための音データと、マイク１１３から入力された音データとを送受信しながら、他の装置を使用するユーザと会話を行うことができる。スピーカストリーム通信とは、ＰＣ２からＣＰＵ１０１にスピーカ１１２から出力するための音データが送信されている状態である。ユーザは、スピーカストリーム通信によって音データを受信し、スピーカ１１２から出力することができる。これによって、ユーザは音楽などを聴くことができる。
【００３８】
図６を参照して、優先対応データテーブル９５について説明する。優先対応データテーブル９５はフラッシュメモリ１０４に記憶されている。以下の説明では、各機能（高音質再生、マイクミュート、ビームフォーミング）が解除されている状態から、ユーザが各機能を設定するために、ボタン１０６，１０７，１０９を操作することを、ボタン１０６，１０７，１０９をオンするという。また、各機能が設定されている状態から、ユーザが各機能の設定を解除するために、ボタン１０６，１０７，１０８を操作することを、ボタン１０６，１０７，１０９をオフするという。図６に示すように、優先対応データテーブル９５には、部品、状態、想定モード、及び優先値が対応付けられて記憶されている。
【００３９】
想定モードとは、部品欄の部品に、状態欄の設定を行った場合に想定されるモード（音楽モード又は会話モード）である。例えば、高音質再生が解除されている状態で、高音質再生ボタン１０６がオンされた場合、ユーザは、高音質再生を設定して音楽を聴くために、高音質再生ボタン１０６をオンした可能性が高い。このため、部品「高音質再生ボタン」と状態「オン」とは、想定モード「音楽モード」に対応付けられている。なお、想定モード「−」は、音楽モード、会話モードのいずれにも対応付けられていないことを示している。
【００４０】
優先値は、音楽モード又は会話モードを優先する度合い（優先度）を示す値である。優先値は、０〜３の４段階で表される。優先値が大きいほど、優先度が高い。優先度が高いほど、ユーザが想定モードに設定しようとしている確率が高いことを示している。例えば、高音質再生は、音楽再生用の設定であるので、高音質再生ボタン１０６がオンされた場合には、ユーザが音楽を聞こうとしている確率が非常に高い。このため、部品「高音質再生ボタン１０６」、想定状態「オン」、想定モード「音楽モード」には、優先度が最も高い優先値「３」が対応付けられている。
【００４１】
また、４極プラグ１２５には、マイク端子が設けられている。例えば、ライン入出力端子１１９に４極プラグ１２５が接続された場合、ユーザは、Ｌｃｈ端子、Ｒｃｈ端子、及びマイク端子を使った会話を行うこともできるし、Ｌｃｈ端子及びＲｃｈ端子のみを使用した音楽再生を行うこともできる。しかし、ユーザがマイク端子のない３極プラグ１２４ではなく、マイク端子のある４極プラグ１２５をライン入出力端子１１９に端子に接続したということは、ユーザが会話を行おうとしている確率が、音楽再生を行おうとしている確率よりもやや高いと考えられる。このため、部品「ライン入出力端子」、状態「４極プラグ１２５」は、想定モード「会話モード」に対応付けられ、その優先値は確率の低い「１」に設定されている。
【００４２】
また、前述したように、ユーザは、マイク・スピーカストリーム通信によって会話を行うことができる。このため、部品「ＵＳＢ端子１２１」、状態「マイク・スピーカストリーム通信」は、想定モード「会話モード」に対応付けられ、その優先値は確率の高い「３」に設定されている。また、ユーザは、スピーカストリーム通信によって音楽再生を行うことができる。このため、部品「ＵＳＢ端子１２１」、状態「スピーカストリーム通信」は、想定モード「音楽モード」に対応付けられ、その優先値は「２」に設定されている。以下の説明では、想定モード「音楽モード」に対応付けられた優先値を「音楽優先値」といい、想定モード「会話モード」に対応付けられた優先値を「会話優先値」という。
【００４３】
図７を参照して、音調整装置のＣＰＵ１０１によるメイン処理について説明する。メイン処理は、音楽モード又は会話モードに適した周波数特性の調整等を行う処理である。ＣＰＵ１０１は、ユーザによって電源がオンされると、フラッシュメモリ１０４に記憶されている音調整プログラムを読み出し、メイン処理を実行する。以下の説明では、スピーカ１１２又はマイク１１３に関する各種機能の設定に関する状態を「設定状態」という。他の機器との接続に関する状態を「接続状態」という。他の装置との通信に関する状態を「通信状態」という。本実施形態では一例として、設定状態は、高音質再生ボタン１０６、ビームフォーミングボタン１０７、マイクミュートボタン１０９のオンオフ操作の状態、及び高音質再生ボタン１０６、ビームフォーミングボタン１０７、マイクミュートボタン１０９がユーザによって操作されていない状態であるとする。また、接続状態は、ディジーチェーン端子１２０、モジュラージャック１１８、及びライン入出力端子１１９への接続の有無や、ライン入出力端子１１９に接続されたプラグの種類（３極プラグ１２４又は４極プラグ１２５）であるとする。また、通信状態は、ＵＳＢ端子１２１での通信種別（マイク・スピーカストリーム通信、又はスピーカストリーム通信）であるとする。
【００４４】
図７に示すように、メイン処理では、まず、設定状態、接続状態、及び通信状態が状態情報として取得される（Ｓ１１）。取得された状態情報は、ＲＡＭ１０３に記憶される。次いで、Ｓ１１で取得された状態情報が、前回取得された状態情報から変化したか否かが判断される（Ｓ１２）。なお、最初の１回目のＳ１２の処理では、前回取得された状態情報はないが、会話モードが音楽モードかを決定するために状態情報が変化したと判断される。
【００４５】
状態情報が変化した場合（Ｓ１２：ＹＥＳ）、変化した状態情報は、設定状態であるか否かが判断される（Ｓ１３）。接続状態又は通信状態の変化である場合、設定状態が変化していないと判断され（Ｓ１３：ＮＯ）、後述するＳ１５の処理が実行される。設定状態の変化である場合（Ｓ１３：ＹＥＳ）、ユーザが新たに操作した状態に設定される（Ｓ１４）。例えば、ユーザよってビームフォーミングボタン１０７がオンされた場合、ビームフォーミングが設定される。なお、高音質再生ボタン１０６がオンされた場合、高音質再生の設定と、ＤＲＣの設定の解除とが行われる。また、高音質再生ボタン１０６がオフされた場合、高音質再生の設定の解除と、ＤＲＣの設定とが行われる。
【００４６】
次いで、フラッシュメモリ１０４に記憶された優先対応データテーブル９５から、Ｓ１１で取得された状態情報に対応する音楽優先値と会話優先値とが取得される（Ｓ１５）。なお、接続状態及び通信状態についての優先値（音楽優先値、会話優先値）については、Ｓ１５が行われる度に取得されるが、設定状態についての優先値については、高音質再生ボタン１０６、ビームフォーミングボタン１０７、又はマイクミュートボタン１０９が操作されたときのみ取得される。すなわち、高音質再生、ビームフォーミング、マイクミュートの各機能の設定、解除をユーザが切り替えるときのみ、設定状態の優先値が取得される。次いで、Ｓ１５で取得された音楽優先値と会話優先値とから、音楽優先値の合計値と会話優先値の合計値とが算出（取得）される（Ｓ１６）。
【００４７】
次いで、Ｓ１６で算出された音楽優先値の合計値と会話優先値の合計値が比較され、音楽モードと会話モードのうち、優先度が高いモード（優先値の合計値が大きいモード）が、設定するモードとして決定される（Ｓ１７）。なお、音楽優先値の合計値と、会話優先値の合計値とが同じ値である場合には、会話モードが、設定するモードとして決定される。
【００４８】
次いで、Ｓ１７で決定されたモードが会話モードであるか否かが判断される（Ｓ１８）。Ｓ１７で決定されたモードが会話モードである場合（Ｓ１８：ＹＥＳ）、会話設定処理が実行される（Ｓ１９）。
【００４９】
図８を参照して、会話設定処理について説明する。会話設定処理は、種々の設定（周波数特性の調整やダイナミックレンジの調整等）を行って、会話モードに設定する処理である。まず、加速度センサ１１０の出力値から音調整装置１の向きが検出される（Ｓ３１）。次いで、音調整装置１の向きが水平方向を向いているか否かが判断される（Ｓ３２）。なお、音調整装置１の向きが水平方向の場合には、ユーザが一人で音調整装置１を使用している可能性が高い（図１参照）。一方、音調整装置１の向きが水平方向でない場合（すなわち、上方向である場合）、複数のユーザが音調整装置１を使用している可能性が高い（図２参照）。
【００５０】
音調整装置１の向きが水平方向である場合（Ｓ３２：ＹＥＳ）、すなわち、ユーザが一人で使用している可能性が高い場合、Ｓ３３〜Ｓ３５の処理によって、音調整装置１は、ビームフォーミングが設定されている状態になる。これによって、ユーザが一人で使用している場合には、周囲の雑音等を低減し、音調整装置１の前にいる一人のユーザの声をより明瞭に集音できすることができる。なお、現在ビームフォーミングが設定されていない場合には、周囲の音の音圧が、所定音圧より大きい場合にのみビームフォーミングの設定がされる（後述するＳ３４：ＹＥＳ，Ｓ３５）。
【００５１】
Ｓ３３では、Ｓ１１で取得された状態情報が参照され、ビームフォーミングが設定されているか否かが判断される（Ｓ３３）。ビームフォーミングが設定されている状態とは、ユーザがビームフォーミングボタン１０７をオンしてＳ１４でビームフォーミングが設定されている状態と、後述するＳ３５において自動でビームフォーミングが設定されている状態とを含む。
【００５２】
ビームフォーミングが設定されている場合（Ｓ３３：ＹＥＳ）、後述するＳ３８の処理が実行される。すなわち、既にビームフォーミングが設定されているため、Ｓ３５でビームフォーミングを新たに設定する必要がなく、Ｓ３５の処理は行われない。
【００５３】
ビームフォーミングが設定されていない場合（Ｓ３３：ＮＯ）、マイク１１３によって集音される周囲の音の音圧が、所定音圧より大きいか否かが判断される（Ｓ３４）。Ｓ３４における周囲の音とは、ユーザの声以外の騒音である。例えば、ＣＰＵ１０１は、ある一定音圧（例えば、５０ｄＢ）以上の音をユーザの声であると認識し、一定音圧より小さい音圧を騒音として認識するとする。Ｓ３４では、例えば、ＣＰＵ１０１は、一定音圧以下の騒音レベルを所定時間測定して平均し、平均した音圧が所定音圧（例えば、４５ｄＢ）より大きいか否かを判断する。周囲の音の音圧が所定音圧より大きくない場合（Ｓ３４：ＮＯ）、後述するＳ３８の処理が行われる。Ｓ３４における周囲の音の音圧が所定音圧より大きくない場合とは、ユーザの声以外の音調整装置１の周囲の騒音が小さい場合である。この場合、ビームフォーミングを設定しなくても、ユーザの声を明瞭に集音することが可能である。このため、Ｓ３５でビームフォーミングを新たに設定する必要がなく、Ｓ３５の処理は行われない。
【００５４】
周囲の音の音圧が所定音圧より大きい場合（Ｓ３４：ＹＥＳ）、ビームフォーミングが設定される（Ｓ３５）。すなわち、マイク特性が調整される。ビームフォーミングが設定されることによって、周囲の騒音を低減しつつ、音調整装置１の前にいるユーザの声を明瞭に集音することができる。
【００５５】
次いで、高音質再生が設定されているか否かが判断される（Ｓ３８）。高音質再生が設定されている場合（Ｓ３８：ＹＥＳ）、高音質再生の設定が解除される（Ｓ３９）。これによって、スピーカ特性が、図３の周波数特性６０２に示す状態から周波数特性６０１に示す状態に調整される。これによって、ユーザが快適な会話を行うことができるように、周波数特性が設定される。次いで、ＤＲＣが設定される（Ｓ４０）。これによって、大音量が出力されるのを防止でき、小さい音が大きく出力されるので、ユーザは人の声を聴き易くなる。よって、ユーザはさらに快適に会話を行うことができる。Ｓ４０でＤＲＣが設定された後、又は、Ｓ３８で高音質再生の設定がされていないと判断された場合（Ｓ３８：ＮＯ）、会話設定処理が終了される。
【００５６】
Ｓ３２において、音調整装置１の向きが水平方向を向いていないと判断された場合（Ｓ３２：ＮＯ）、すなわち、音調整装置１の向きが上方向を向いている場合、Ｓ３３と同様に、ビームフォーミングが設定されているか否かが判断される（Ｓ３６）。ビームフォーミングが設定されている場合（Ｓ３６：ＹＥＳ）、ビームフォーミングの設定が解除される（Ｓ３７）。ビームフォーミングの設定が解除された後（Ｓ３７）、又は、ビームフォーミングが設定されてないと判断された場合（Ｓ３６：ＮＯ）、処理はＳ３８に進む。Ｓ３６及びＳ３７が行われると、ビームフォーミングが設定されていない状態になる。前述したように、音調整装置１が上方向を向いている場合、複数のユーザが音調整装置１を使用している可能性が高い（図２参照）。このため、集音範囲を広くする必要がある。よって、集音範囲を狭くするビームフォーミングの設定を解除して、より広い範囲のユーザの声を集音できるようにするのである。
【００５７】
会話設定処理が終了されると、処理はメイン処理（図７参照）のＳ１１に戻る。図７に示すように、Ｓ１８において、会話モードでないと判断された場合（Ｓ１８：ＮＯ）、音楽設定処理が実行され、音楽モードに設定される（Ｓ２０）。
【００５８】
図９を参照して、音楽設定処理について説明する。音楽設定処理は、種々の設定（周波数特性の調整やダイナミックレンジの調整等）を行って、音楽モードに設定する処理である。まず、周囲の音の音圧が、所定音圧より大きいか否かが判断される（Ｓ５１）。Ｓ５１における周囲の音とは、ユーザの声である。例えば、ＣＰＵ１０１は、ある一定音圧（例えば、５０ｄＢ）以上の音をユーザの声であると認識し、一定音圧より小さい音圧を騒音として認識するとする。Ｓ５１では、例えば、ＣＰＵ１０１は、所定時間の周囲の音の音圧を計測して平均し、平均した音圧が所定音圧（例えば、５０ｄＢ）より大きいか否かを判断する。なお、Ｓ５１における所定音圧は、Ｓ３４の場合より大きいが、これに限定されず、例えば、Ｓ３４の場合と同じ値であってもよい。周囲の音の音圧が所定音圧より大きい場合（Ｓ５１：ＹＥＳ）、ボリュームが所定値より大きいか否かが判断される（Ｓ５２）。ボリュームが所定値より大きくない場合（Ｓ５２：ＮＯ）、後述するＳ５４の処理が行われる。ボリュームが所定値より大きい場合（Ｓ５２：ＹＥＳ）、ボリュームを下げるようにスピーカ特性が調整される（Ｓ５３）。Ｓ５３では、Ｓ５２で判断された所定値以下にボリュームが下がるように、スピーカ特性の周波数全域に亘って利得が下げられる。すなわち、スピーカ特性が調整される。例えば、周囲の音が大きい場合、ユーザの会議の声によって、音圧が大きくなっている可能性が高い。このため、ユーザは、会議を行っている場所でＢＧＭとして音楽を使用している可能性が高い。このため、ＢＧＭに適した音量に下げるのである。
【００５９】
周囲の音の音圧が所定音圧より大きくない場合（Ｓ５１：ＮＯ）、後述するＳ５４の処理が行われる。すなわち、Ｓ５３の処理は実行されない。周囲の音が所定音圧より小さい場合とは、人が発言していない可能性が高く、会議は行われていない可能性が高い。このため、ユーザは、純粋に音楽を聞く目的で音調整装置１を使用している可能性が高い。音楽再生の音量の好みは人それぞれなので、ＣＰＵ１０１は、ボリュームを調整する処理（Ｓ５３）を実行しないのである。
【００６０】
次いで、高音質再生が設定されているか否かが判断される（Ｓ５４）。高音質再生が設定されていない場合（Ｓ５４：ＮＯ）、高音質再生が設定される（Ｓ５５）。Ｓ５４及びＳ５５の処理によって、高音質再生が設定された状態になる。これによって、ユーザは、高音質な音楽を聴くことができる。次いで、ＤＲＣの設定が解除される（Ｓ５６）。これによって、ダイナミックレンジを保った音楽再生が行われ、ユーザはさらに高音質な音楽を聴くことができる。Ｓ５６でＤＲＣの設定が解除された後、又は、高音質再生が設定されていると判断された場合（Ｓ５４：ＹＥＳ）、音楽設定処理が終了される。処理はメイン処理のＳ１１に戻る。
【００６１】
優先対応データテーブル９５（図６参照）を使用したモードの決定の第一の例を図１０に示す。図１０の例では、ユーザが音調整装置１の電源をオンした後、携帯音楽端末に接続されたケーブルの一端に設けられた３極プラグ１２４をライン入出力端子１１９に接続して、携帯音楽端末からの音楽を音調整装置１で再生（矢印９６１）した後に、ＵＳＢ端子１２１を介してマイク・スピーカストリーム通信を開始し（矢印９６３）、他の拠点のユーザと会話を行ったとする。
【００６２】
図１０に示す例では、初期状態は、ライン入出力端子１１９「接続なし」、ＵＳＢ端子１２１「接続なし」、ディジーチェーン接続「接続なし」、モジュラージャック「接続なし」であるとする。また、高音質再生、マイクミュート、ビームフォーミングの各機能は、解除されているとする。高音質再生が解除されているので、ＤＲＣは設定されているとする。初期状態については、後述する図１１及び図１２に示す例も同様である。。
【００６３】
上記の初期状態の場合、状態情報が取得され（Ｓ１１）、電源オン直後の最初の一回目のＳ１２の処理であるので、状態情報が変化したと判断される（Ｓ１２：ＹＥＳ）。次いで、設定状態が変化していないので（Ｓ１３：ＮＯ）、優先値が取得される（Ｓ１５）。このとき、設定状態が変化していないので、設定状態についての優先値は取得されず、接続状態及び通信状態についての優先値が取得される。そして、会話優先値の合計値「０」、音楽優先値の合計値「０」が算出される（Ｓ１５）。会話優先値の合計値と、音楽優先値の合計値とが同じ値なので、会話モードに決定され（Ｓ１７）、会話設定処理（Ｓ１９）が行われ、会話モードに設定される。
【００６４】
会話設定処理では、条件に応じてビームフォーミングの設定（Ｓ３５）又は解除（Ｓ３７）が行われる。また、初期状態では高音質再生は解除されているので、高音質再生が設定されていないと判断され（Ｓ３８：ＮＯ）、会話設定処理が終了される。
【００６５】
電源がオンされた後、ユーザによって何ら操作がされないと、状態情報が変化していないと判断され（Ｓ１２：ＮＯ）、会話モードであるので、音楽モードに設定中ではないと判断される（Ｓ２１：ＹＥＳ、後述）。そして、後述するＳ２５〜Ｓ２７によって残留エコー（後述）が所定値以下に抑えられる。
【００６６】
初期状態から、ユーザが携帯音楽端末の音楽を聴くために、３極プラグ１２４をライン入出力端子１１９に接続したとする（図１０の矢印９６１参照）。この場合、Ｓ１１で取得される状態情報が示す接続状態が変化するので、状態情報が変化したと判断され（Ｓ１２：ＮＯ）、設定状態が変化していないと判断される（Ｓ１３：ＮＯ）。そして、優先値が取得され（Ｓ１５）、会話優先値の合計値「０」、音楽優先値の合計値「３」が取得される（Ｓ１６）。３極プラグ１２４がライン入出力端子１１９に接続されたので、音楽優先値の合計値が「０」から「３」に変化している。音楽優先値の合計値「３」が、会話優先値の合計値「０」より大きいので、音楽モードの優先度が高い。このため、音楽モードに決定され（Ｓ１７）、音楽設定処理（Ｓ２０）が行われ、音楽モードに設定される（図１０の矢印９６２参照）。
【００６７】
音楽設定処理では、ユーザが新たな操作をすることなく、高音質再生が設定され（Ｓ５５）、ＤＲＣが解除される（Ｓ５６）。すなわち、ユーザが音楽を聴くために、３極プラグ１２４を挿しただけで、自動で音楽モードに設定され、高音質再生が設定され、ＤＲＣが解除される。このように、自動で高音質再生が設定されるので、ユーザが高音質再生ボタン１０６の操作をしなくても、又は、操作をすることを忘れても、高音質な音で音楽を聴くことができる。また、自動でＤＲＣが設定されるので、ユーザが高音質再生ボタン１０６の操作をしなくても、又は、操作をすることを忘れても、音楽信号本来のダイナミックレンジを保った再生を行うことができ、ユーザがさらに高音質な音楽を聴くことができる。なお、仮に、ユーザが音声会議をしていて、周囲の音が所定音圧より大きく（Ｓ５１：ＹＥＳ）、ボリュームが所定値より大きい場合（Ｓ５２：ＹＥＳ）、ユーザが操作することなく自動でボリュームが下げられる（Ｓ５３）。
【００６８】
音楽設定処理が行われた後しばらくして、ユーザが他の拠点のユーザと会話をするために、ＰＣ２を操作して、ＵＳＢ端子１２１、通信網６を介するマイク・スピーカストリーム通信を開始したとする（図１０の矢印９６３）。この場合、状態情報が変化し（Ｓ１２：ＹＥＳ）、設定状態が変化していないので（Ｓ１３：ＮＯ）、優先値が取得される（Ｓ１５）。ＵＳＢ端子１２１の状態が「接続なし」から「マイク・スピーカストリーム通信」に変化しているので、優先値が「０」の状態から会話優先値「３」の状態に変化する。このため、会話優先値の合計値「３」、音楽優先値の合計値「３」に変化する（Ｓ１６）。
【００６９】
会話優先値の合計値「３」と音楽優先値の合計値「３」とが同じなので、会話モードに決定され（Ｓ１７）、会話設定処理（Ｓ１９）が行われ、会話モードに設定される（図１０の矢印９６４参照）。会話設定処理では、ユーザが新たな操作をすることなく、高音質再生の設定が解除され（Ｓ３９）、ＤＲＣが設定される（Ｓ４０）。すなわち、ユーザが会話をするために、マイク・スピーカストリーム通信を開始しただけで、自動で会話モードに設定され、高音質再生の設定が解除され、ＤＲＣが設定される。このため、ユーザが高音質再生ボタン１０６を操作する必要がない。よって、ユーザが高音質再生ボタン１０６の操作をしなくても、又は、操作をすることを忘れても、高音質再生の設定を解除できる。また、ユーザが高音質再生ボタン１０６の操作をしなくても、又は、操作をすることを忘れても、ＤＲＣを設定できる。なお、条件に応じて、ビームフォーミングが自動で設定されたり（Ｓ３５）、自動で解除されたりする（Ｓ３７）。これによって、一人のユーザが音調整装置１を使用する場合、又は、複数のユーザが音調整装置１を使用する場合の両方で、ユーザの声を明瞭に集音することができる。
【００７０】
優先対応データテーブル９５（図６参照）を使用したモードの決定の第二の例を図１１に示す。図１１の例では、ユーザは音調整装置１の電源をオンした後、ＵＳＢ端子１２１を介してスピーカストリーム通信をし（矢印９７１）、他の装置から通信網６を介して送信された音楽を音調整装置１で再生するとする。その後、ユーザは携帯電話に接続されたケーブルの一端に設けられた４極プラグ１２５をライン入出力端子１１９に接続し（矢印９７３）、スピーカストリーム通信を停止した後（矢印９７４）、携帯電話を介して他のユーザと会話をするとする。
【００７１】
図１１に示すように、電源がオンされた後、図１０の例の場合と同様に、会話モードに設定される。初期状態から、ユーザが音調整装置１で音楽を聴くために、ＵＳＢ端子１２１を介するスピーカストリーム通信を開始する（図１１の矢印９７１参照）。会話優先値の合計値「０」、音楽優先値の合計値「２」が算出される（Ｓ１６）。そして、音楽モードに決定され（Ｓ１７）、音楽設定処理（Ｓ２０）で音楽モードに設定される（矢印９７２参照）。このように、ユーザが音楽を聴くためにスピーカストリーム通信を開始しただけで、高音質再生が自動で設定され（Ｓ５５）、ＤＲＣの設定が自動で解除される（Ｓ５６）。ユーザは高音質な音楽を聴くことができる。また、条件に応じてボリュームが自動で下げられる（Ｓ５３）。
【００７２】
その後、ユーザは、携帯電話を介して他のユーザと会話をするために、４極プラグ１２５をライン入出力端子１１９に接続し（矢印９７３参照）、スピーカストリーム通信を停止する（矢印９７４参照）。まず、ユーザが４極プラグ１２５をライン入出力端子１１９に接続すると（矢印９７３参照）、会話優先値の合計値「１」、音楽優先値の合計値「２」が算出される（Ｓ１６）。そして、音楽優先値の合計値が会話優先値の合計値より大きいので、音楽モードに決定され（Ｓ１７）、音楽設定処理が行われる（Ｓ２０）。すなわち、音楽モードが維持される。次いで、ユーザがＰＣ２を操作して、スピーカストリーム通信を停止すると（矢印９７４参照）、会話優先値の合計値「１」、音楽優先値の合計値「０」が算出される（Ｓ１６）。そして、会話優先値の合計値が音楽優先値の合計値より大きいので、会話モードに決定され（Ｓ１７）、会話設定処理（Ｓ１９）で会話モードに設定される（矢印９７５参照）。このように、ユーザが４極プラグ１２５をライン入出力端子１１９に接続し、スピーカストリーム通信を停止するだけで、高音質再生の設定が自動で解除され（Ｓ３９）、ＤＲＣが自動で設定される（Ｓ４０）。また、条件に応じて、ビームフォーミングが自動で設定されたり（Ｓ３５）、自動で解除されたりする（Ｓ３７）。ユーザは、会話に適した音質で他のユーザと会話を行うことができる。
【００７３】
優先対応データテーブル９５（図６参照）を使用したモードの決定の第三の例を図１２に示す。図１２の例では、ユーザは音調整装置１の電源をオンした後、マイク・スピーカストリーム通信によって他のユーザと音声会議で会話をするとする（矢印９８１）。そして、音声会議のＢＧＭとして音楽を再生する目的で、携帯音楽端末に接続されたケーブルの一端に設けられた３極プラグ１２４をライン入出力端子１１９に接続し（矢印９８２）、高音質再生ボタン１０６を操作するとする（矢印９８３）。
【００７４】
図１２に示すように、電源がオンされた後、図１０の例の場合と同様に、会話モードに設定される。ユーザが他の拠点のユーザと会話を行うために、ＰＣ２を操作してマイク・スピーカストリーム通信を行うと（矢印９８１参照）、会話優先値の合計値「３」と音楽優先値の合計値「０」とが算出される（Ｓ１６）。会話優先値の合計値が音楽優先値の合計値より大きいので、会話モードに決定され（Ｓ１７）、会話設定処理が行われる（Ｓ１９）。すなわち、会話モードが維持される。ユーザは、他の拠点のユーザと音声会議で会話を行う。
【００７５】
その後、ユーザは、音声会議のＢＧＭとして音楽を再生する目的で、３極プラグ１２４をライン入出力端子１１９に接続し（矢印９８２参照）、高音質再生ボタン１０６を操作する（矢印９８３参照）。まず、ユーザが、３極プラグ１２４をライン入出力端子１１９に接続すると（矢印９８２参照）、会話優先値の合計値「３」と音楽優先値の合計値「３」とが算出される（Ｓ１６）。会話優先値の合計値と音楽優先値の合計値とが同じなので、会話モードが決定され（Ｓ１７）、会話設定処理が行われる（Ｓ１９）。すなわち、会話モードが維持される。次いで、ユーザが高音質再生ボタン１０６をオンすると（矢印９８３参照）、高音質再生ボタン１０６が操作されたので設定状態が変化したと判断され（Ｓ１３：ＹＥＳ）、高音質再生が設定される（Ｓ１４）。また、ＤＲＣの設定が解除される（Ｓ１４）。
【００７６】
そして、会話優先値の合計値「３」と音楽優先値の合計値「６」とが算出される（Ｓ１６）。音楽優先値の合計値が会話優先値の合計値より大きいので、音楽モードが決定され（Ｓ１７）、音楽設定処理が行われる（Ｓ２０）。音楽再生処理（図９参照）では、音声会議を行っているために、ユーザの声によって、音調整装置１の周囲の音が所定音圧より大きくなる（Ｓ５１：ＹＥＳ）。そして、ボリュームが所定値より大きい場合（Ｓ５２：ＹＥＳ）、スピーカ特性が調整され、ボリュームが自動的に下げられる（Ｓ５３）。このように、ユーザが音声会議のＢＧＭとして音楽を再生する目的で、３極プラグ１２４をライン入出力端子１１９に接続し、高音質再生ボタン１０６を操作するだけで、ＢＧＭに適したボリュームに自動で調整される。なお、Ｓ１４で高音質再生が設定されているので、高音質再生は設定済みと判断される（Ｓ５４：ＹＥＳ）。
【００７７】
メイン処理の説明に戻る。図７に示すＳ１２において、Ｓ１１で取得された状態情報が、前回取得された状態情報から変化していない場合（Ｓ１２：ＮＯ）、Ｓ２１〜Ｓ２７の処理が実行され、モードに応じて、残留エコーが所定値以下に抑えられる。残留エコーとは、エコーキャンセラ１１６でエコーを低減させた後に残ったエコーである。
【００７８】
例えば、図１３に示す周波数特性６１１がエコーであり、周波数特性６１２が残留エコーであるとする。周波数特性６１１は、マイク１１３によって集音され、駆動回路１１５増幅された後の音の周波数特性である。すなわち、周波数特性６１１は、ポイント７５（図５参照）における音の周波数特性であり、エコーキャンセルは行われていない。周波数特性６１２は、周波数特性６１１の音がエコーキャンセラ１１６を通過し、エコーキャンセルされた後の音の周波数特性である。すなわち、周波数特性６１２は、ポイント７６（図５参照）における音の周波数特性である。
【００７９】
エコーキャンセルされても、完全にエコーを消すことはできず、図１３に示すように、ある程度、残留エコーが残る場合がある。このため、残留エコーのレベルが高いと、会話の相手に不快なエコーを聞かせてしまう。そこで、本実施形態では、音楽モードであれば、マイク特性を調整して残留エコーを低減し（Ｓ２４）、会話モードであれば、スピーカ特性を調整して残留エコーを低減する（Ｓ２７）。以下、Ｓ２１〜Ｓ２７の処理について説明する。
【００８０】
Ｓ２１では、音楽モードに設定中であるか否かが判断される（Ｓ２１）。音楽モードに決定され（Ｓ１７）、音楽モードに設定中である場合（Ｓ２１；ＹＥＳ）、残留エコーのレベル（周波数特性６１２の音のレベル）が検出される（Ｓ２２）。次いで、Ｓ２２で検出された残留エコーのレベルが、所定値（例えば、−７０ｄＢ）以下であるか否かが判断される（Ｓ２３）。
【００８１】
残留エコーのレベルが所定値以下でない場合（Ｓ２３：ＮＯ）、マイク特性が調整される（Ｓ２４）。Ｓ２４では、例えば、駆動回路１１５による増幅率が下げられることで、マイク特性における周波数領域全体（可聴領域である２０Ｈｚ〜２０ｋＨｚ全体）の利得が下げられる。下げられる利得のレベルは、残留エコーを所定値以下にすることができるレベルである。マイク特性の利得が下げられると、図１３に示す周波数特性６１１、６１２のレベルが共に下がり、図１４に示す周波数特性６１１，６１２のように変化する。図１４の周波数特性６１２に示すように、残留エコーが所定値以下に下がっている。このように、残留エコーが低減される。次いで、処理はＳ１１に戻る。Ｓ２３において、残留エコーのレベルが所定値以下である場合（Ｓ２３：ＹＥＳ）、処理はＳ１１に戻る。
【００８２】
会話モードに決定され（Ｓ１７）、会話モードに設定されている場合、音楽モードに設定中でないと判断され（Ｓ２１：ＮＯ）、Ｓ２２と同様に残留エコーのレベルが検出される（Ｓ２５）。次いで、Ｓ２３と同様に、残留エコーのレベルが所定値以下であるか否かが判断される（Ｓ２６）。残留エコーのレベルが所定値以下でない場合（Ｓ２６：ＮＯ）、スピーカ特性が調整される（Ｓ２７）。Ｓ２７では、スピーカ特性における周波数領域全体（可聴領域である２０Ｈｚ〜２０ｋＨｚ全体）の利得が下げられる。下げられる利得のレベルは、残留エコーを所定値以下にすることができるレベルである。スピーカ特性の利得が下げられると、スピーカ１１２から出力される音のレベルが下がり、マイク１１３に集音されるエコーのレベルが下がる。このため、図１３に示す周波数特性６１１，６１２のレベルが共に下がり、図１４に示す周波数特性６１１，６１２のように変化する。図１４の周波数特性６１２に示すように、残留エコーが所定値以下に下がっている。このように、残留エコーが低減される。次いで、処理はＳ１１に戻る。Ｓ２６において、残留エコーのレベルが所定値以下である場合（Ｓ２６：ＹＥＳ）、処理はＳ１１に戻る。
【００８３】
なお、Ｓ２２〜Ｓ２４の処理、又は、Ｓ２５〜Ｓ２７の処理は、状態情報が変化しない間（Ｓ１２：ＮＯ）、繰り返し実行される。すなわち、ＣＰＵ１０１は、リアルタイムに残留エコーを監視し（Ｓ２２、Ｓ２３、Ｓ２５、Ｓ２６）、残留エコーが所定値以下になるように調整する。
【００８４】
以上のように、本実施形態における処理が行われる。ユーザは、音楽を聴きたい場合や、会話をしたい場合に、音調整装置１に対して種々の操作を行う。これによって、設定状態、接続状態、通信状態が変化する。音調整装置１は、ユーザによって設定された状態の状態情報を取得し（Ｓ１１）、音楽モード又は会話モードのいずれに設定するかを決定する（Ｓ１７）。そして、音調整装置１は、決定したモードに応じて、スピーカ特性やマイク特性を調整する（図７のＳ２４、Ｓ２７、図８のＳ３５、Ｓ３７、Ｓ３９、図９のＳ５３、Ｓ５５）。また、音調整装置１は、決定したモードに応じて、ダイナミックレンジを調整する（図８のＳ４０及び図９のＳ５６）。すなわち、音調整装置１（ＣＰＵ１０１）は、ユーザの意図する目的（会話をすること、及び音楽を聴くこと）に応じて、スピーカ１１２から出力する音や、マイク１１３から入力した音の特性を自動で調整できる。よって、ユーザの意図する目的に合致した音質、音量で、スピーカ１１２からの音の出力と、マイク１１３による音の集音とをすることができる。
【００８５】
また、優先度が高いほど、ユーザが想定モード（図６参照）に設定しようとしている確率が高い。そして、本実施形態では、優先度が高い（優先値の合計値が大きい）モードに設定することができる（Ｓ１５、Ｓ１７、Ｓ１９、及びＳ２０）。このため、優先度を反映しない場合に比べてより確実に、ユーザが意図する合致したモードに設定できる。
【００８６】
また、状態情報が変化したタイミングで（Ｓ１２：ＹＥＳ）、モードが新たに決定され（Ｓ１７）、モードに応じてスピーカ特性、マイク特性が調整される（図７のＳ２４、Ｓ２７、図８のＳ３５、Ｓ３７、Ｓ３９、図９のＳ５３、Ｓ５５）。また、決定されたモードに応じてダイナミックレンジが調整される（図８のＳ４０及び図９のＳ５６）。このため、ユーザが新たな操作を行ったタイミングですぐにスピーカから出力する音やマイクから入力した音の特性を調整することができる。よって、ユーザは、新たな操作を行った直後から、ユーザの意図する目的に応じて調整された特性で、音楽を聴いたり、会話をしたりすることができる。
【００８７】
また、音楽モードに設定されているときには（Ｓ２１：ＹＥＳ）、マイク特性が調整されて、残留エコーが低減される（Ｓ２４）。音楽モードに設定されているときには、ユーザはスピーカから出力される音楽を聴くことを主目的にしている場合が多い。このため、ユーザが聴いている音楽に影響を与えるスピーカ特性を調整するのではなく、マイク特性を調整するのである。これによって、ユーザが、聴いている音楽に影響を与えることを防止できる。
【００８８】
また、会話モードに設定されているときには（Ｓ２１：ＮＯ）、スピーカ特性が調整されて、残留エコーが低減される（Ｓ２７）。会話モードに設定しているときは、会話の相手が、音調整装置１のユーザの発言を注意深く聴いている場合が多い。このため、会話の相手先に送信されるマイク１１３からの音に影響を与えるマイク特性を調整するのではなく、スピーカ特性を調整するのである。これによって、会話の相手先が聴く声に影響を与えることを防止することができる。
【００８９】
また、ユーザの意図する目的に応じてモードを決定して（Ｓ１７）、周波数特性やダイナミックレンジを調整する共に（Ｓ１９及びＳ２０）、ユーザの意図する目的に応じて残留エコーを低減するための調整対象（マイク特性又はスピーカ特性）を決め、残留エコーを低減することができる（Ｓ２４及びＳ２７）。このため、ユーザの意図する目的にあった音質、音量でユーザが音調整装置１を使用できると共に、残留エコーが残って会話の相手に不快なエコーを聴かせることを防止できる。
【００９０】
また、残留エコーが所定条件（残留エコーのレベルが所定値以下であるという条件）を満たすように自動で調整される（Ｓ２４及びＳ２７）。故に、ユーザが音調整装置１を操作するなどして、残留エコーのレベルが所定値以下となるようにする必要がない。よって、ユーザの利便性が向上する。
【００９１】
また、マイク特性やスピーカ特性が調整されると、残留エコーのレベルが変化する可能性があるが、本実施形態では、Ｓ２４及びＳ２７で残留エコーが所定値以下になるように抑えられるので、残留エコーが増大することを防止できる。
【００９２】
上記実施形態において、Ｓ１１の処理を行うＣＰＵ１０１が本発明の「状態取得手段」に相当し、Ｓ１７の処理を行うＣＰＵ１０１が本発明の「モード決定手段」に相当する。Ｓ２４、Ｓ２７、Ｓ３５、Ｓ３７、Ｓ３９、Ｓ４０、Ｓ５３、Ｓ５５、及びＳ５６の処理を行うＣＰＵ１０１が本発明の「特性調整手段」に相当する。音楽優先値が本発明の「音楽優先情報」に相当し、会話優先値が本発明の「会話優先情報」に相当する。優先対応データテーブル９５が本発明の「優先対応データ」に相当し、フラッシュメモリ１０４が本発明の「記憶手段」に相当する。Ｓ１２の処理を行うＣＰＵ１０１が本発明の「第一判断手段」に相当し、Ｓ２３及びＳ２６の処理を行うＣＰＵ１０１が本発明の「第二判断手段」に相当する。Ｓ１１の処理が本発明の「状態取得ステップ」に相当し、Ｓ１７の処理が本発明の「モード決定手ステップ」に相当する。Ｓ２４、Ｓ２７、Ｓ３５、Ｓ３７、Ｓ３９、Ｓ４０、Ｓ５３、Ｓ５５、Ｓ５６の処理が本発明の「特性調整ステップ」に相当する。
【００９３】
なお、本発明は上記の実施形態に限定されるものではなく、種々の変更が可能である。例えば、音調整装置１の形状が長方体状であったが、これに限定されない。例えば、音調整装置１の形状は、円盤形状など、他の形状であってもよい。また、マイク１１３は、２つのマイク（左マイク１１３１及び右マイク１１３２）で構成されていたが、これに限定されない。例えば、マイク１１３は１つのマイクで構成されてもよいし、３以上のマイクで構成されてもよい。また、音調整装置１のサイズは限定されず、例えば、名刺サイズ程度のサイズであってもよいし、ＰＣ２より大きいサイズであってもよい。
【００９４】
音調整装置１が向く方向は、上方向と水平方向に限定されない。例えば、斜め上方向に向いてもよい。また、ＣＰＵ１０１は、音調整装置１が斜め上方向に向いていることを検出し、例えば、Ｓ３２において、水平方向であるか否かを判断するのではなく、斜め上方向に向いているか否かを判断するなど、検出結果を処理に使用してもよい。
【００９５】
また、優先値はユーザが想定モードに設定しようとしている確率に対応していたが、これに限定されない。例えば、優先値は、ユーザの使用態様など、他の要素に基づいて設定されてもよい。例えば、優先対応データテーブル９５（図６参照）において、状態「マイク・スピーカストリーム通信」には、想定モード「会話モード」、優先値「３」が対応付けられている。また、状態「スピーカストリーム通信」には、想定モード「音楽モード」、優先値「２」が対応付けられている。つまり、「マイク・スピーカストリーム通信」の会話優先値「３」が「スピーカストリーム通信」の音楽優先値「２」より大きい値（優先度が高い値）に設定されている。この優先値は例えば、以下のような根拠で設定されてもよい。
【００９６】
すなわち、ユーザは、ＰＣ２上で動作するアプリケーションを選択し、種々のアプリケーションを実行することができる。この場合、例えば、ユーザが音楽を聴くためのアプリケーションを実行して音楽を聴いている状態で、さらに会話を行うアプリケーションを実行し、音楽を再生したまま会話をするなど、スピーカストリーム通信と、マイク・スピーカストリーム通信との間で切り替えられる場合がある。音調整装置１のＣＰＵ１０１は、スピーカストリーム通信とマイク・スピーカストリーム通信とが切り替えられたことを検出できるが、ＰＣ２で実行されるアプリケーションが追加、変更されたことを検出することができない。このため、ＣＰＵ１０１は、ユーザが会話のみをおこなっているのか、音楽を聴きながら会話を行っているのかを判断することができない。
【００９７】
ここで、音楽モードでは高音質再生が設定されるので、高音質再生の設定が解除される会話モードの場合に比べて再生帯域が広く、エコーが発生し易くなる場合がある。よって、仮にエコーキャンセラ１１６によるエコーの低減が行われない場合、エコーを他の拠点に送信してしまう可能性が高くなる。このため、ユーザが音楽を聴きながら会話を行うという使用態様の存在に基づいて、「マイク・スピーカストリーム通信」の会話優先値「３」を、「スピーカストリーム通信」の音楽優先値「２」より大きい値（優先度が高い値）に設定してある。これによって、スピーカストリーム通信と、マイク・スピーカストリーム通信との間で切り替えられた場合に、エコーを他の拠点に送信してしまう可能性が高くなる音楽モードよりも、音楽の音質が下がっても、エコーを他の拠点に送信してしまう可能性が低い会話モードに設定されやすいようにすることができる。以上の例示のように、優先値が使用態様に基づいて設定されてもよい。
【００９８】
また、会話設定処理（図８参照）では、マイク特性の調整（Ｓ３５及びＳ３７）と、スピーカ特性の調整（Ｓ３９）と、ダイナミックレンジの調整（Ｓ４０）とが行われていたが、これに限定されない。例えば、会話設定処理では、スピーカ特性とマイク特性とダイナミックレンジとの少なくとも１つの特性が調整されてもよい。
【００９９】
また、音楽設定処理（図９参照）では、スピーカ特性の調整（Ｓ５３及びＳ５５）と、ダイナミックレンジの調整（Ｓ５６）とが行われていたが、これに限定されない。例えば、音楽設定処理では、スピーカ特性とマイク特性とダイナミックレンジとの少なくとも１つの特性が調整されてもよい。
【０１００】
また、ＤＲＣの設定、解除（Ｓ１４、Ｓ４０及びＳ５６）は、高音質再生の設定、解除（Ｓ１４、Ｓ３９及びＳ５５）と一緒に行われていたが、ＤＲＣの設定、解除は、高音質再生の設定、解除と一緒に行われなくてもよい。
【０１０１】
また、音楽設定処理では、ＤＲＣが解除されていたが（Ｓ５６）、解除するのではなく、会話設定処理（Ｓ４０）の場合よりＤＲＣによるダイナミックレンジの圧縮を小さくしてもよい。すなわち、ＤＲＣを設定しつつも、会話設定処理の場合よりダイナミックレンジを広くしてもよい。この場合でも、会話設定処理におけるダイナミックレンジより広いダイナミックレンジで音楽を再生できるので、ユーザが高音質な音楽を聴くことができる。
【０１０２】
また、音調整装置１は、ＤＲＣを設定、解除するためのボタン（以下「ＤＲＣボタン」という。）を備えていなかったが（図５参照）、これに限定されない。例えば、音調整装置１は、ＤＲＣボタンを備えていてもよい。また、優先対応データテーブル９５にＤＲＣボタンについての対応関係が登録されていてもよい。例えば、優先対応データテーブル９５（図５参照）において、部品「ＤＲＣボタン」、状態「オン（設定）」に、想定モード「会話モード」、優先値「２」が対応付けられ、部品「ＤＲＣボタン」、状態「オフ（解除）」に、想定モード「音楽モード」、優先値「３」が対応付けられていてもよい。
【０１０３】
また、会話設定処理（図８参照）及び音楽設定処理（図９参照）におけるスピーカ特性及びマイク特性の調整を行う処理は、ビームフォーミングの設定・解除（Ｓ３５及びＳ３６）、高音質再生の設定・解除（Ｓ５５及びＳ３９）、ボリュームの低減（Ｓ５３）等であったが、これに限定されない。例えば、種々の音質調整機能（例えば、低音をブーストする機能など）の設定・解除、マイクで集音した音から人の声の周波数領域のみの音を取り出すフィルタ機能の設定・解除等であってもよい。
【０１０４】
また、Ｓ２４では、マイク特性のみが調整され、残留エコーが低減されていたが、これに限定されない。少なくともマイク特性が調整されればよく、例えば、マイク特性とスピーカ特性とが調整されてもよい。
【０１０５】
また、Ｓ２７では、スピーカ特性のみが調整され、残留エコーが低減されていたが、これに限定されない。少なくともスピーカ特性が調整されればよく、例えば、スピーカ特性とマイク特性とが調整されてもよい。
【０１０６】
また、マイク特性における周波数領域全体（可聴領域である２０Ｈｚ〜２０ｋＨｚ全体）の利得が下げられることで、残留エコーが低減されていた（Ｓ２４）。また、スピーカ特性における周波数領域全体の利得が下げられることで、残留エコーが低減されていた（Ｓ２７）。しかし、これに限定されない。例えば、一部の周波数帯域の残留エコーのみが、所定値より大きい場合、該一部の周波数帯域のみの利得を下げることで、残留エコーを低減してもよい。
【０１０７】
また、Ｓ１１で取得される設定状態、接続状態、通信状態の各状態情報は、優先対応データテーブル９５の部品欄に記載の７つの状態の情報であったが、状態情報として取得する状態の数は限定されない。例えば、Ｓ１１では、１以上の設定状態と、１以上の接続状態と１以上の通信状態とのうち、少なくとも２つの状態を状態情報として取得してもよい。例えば、２つの接続状態（ディジーチェーン端子１２０とモジュラージャック１１８との接続状態）についての状態情報のみ取得し（Ｓ１１）、モードを決定してもよい（Ｓ１７）。
【０１０８】
また、優先値が大きいほど、優先度が高かったが、これに限定されない。例えば、優先値が小さいほど、優先度が高くてもよい。すなわち、ユーザが想定モードに設定しようとしている確率が高いほど、優先値を小さくしてもよい。この場合、Ｓ１７でモードが決定される際には、優先値の合計値が小さいモードが設定するモードとして決定される。また、優先値の値は０〜３で設定されているが、これに限定されず、優先値の値は任意の値であってもよい。
【０１０９】
また、優先値の合計値が高いモードが、設定するモードとして決定されていたが（Ｓ１５〜Ｓ１７）、これに限定されない。例えば、メイン処理（図７参照）のＳ１５〜Ｓ１７の処理を以下のように変形することで、モードを決定してもよい。すなわち、Ｓ１１で取得された状態情報のうち、優先対応データテーブル９５において、想定モード「音楽モード」に対応付けられている状態情報の数と、想定モード「会話モード」に対応付けられている状態情報の数とを取得し（Ｓ１５）、両者の数を比較する（Ｓ１６）。そして、音楽モードと会話モードとのうち、状態情報の数が大きい方に対応するモードを設定するモードとして決定してもよい（Ｓ１７）。なお、この場合、優先対応データテーブル９５において優先値は対応付けられていなくてもよい。
【０１１０】
例えば、高音質再生が解除されている状態で、ユーザが高音質再生ボタン１０６をオンし、状態情報として、高音質再生ボタン１０６「オン」、マイクミュートボタン１０９「操作されていない」、ビームフォーミングボタン１０７「操作されていない」、ライン入出力端子１１９「４極プラグ１２５」、ＵＳＢ端子１２１「スピーカストリーム通信」、ディジーチェーン接続「接続なし」、モジュラージャック「接続なし」が取得されたとする（Ｓ１１）。この場合、想定モード「音楽モード」に対応付けられている状態情報は、高音質再生ボタン１０６「オン」とＵＳＢ端子１２１「スピーカストリーム通信」との２つである。また、想定モード「会話モード」に対応付けられている状態情報は、ライン入出力端子１１９「４極プラグ１２５」の１つである。このため、想定モード「音楽モード」に対応付けられている状態情報の数が、想定モード「会話モード」に対応付けられている状態の数より多い（Ｓ１５、Ｓ１６）。よって、音楽モードが設定するモードとして決定される（Ｓ１７）。
【０１１１】
本変形例では、多数決によってモードを決定することができる。このため、数を反映しない場合に比べてより確実に、ユーザが意図する目的に合致したモードに設定できる。本変形例において、優先対応データテーブル９５の想定モード「音楽モード」が本発明の「音楽優先情報」に相当し、想定モード「会話モード」が本発明の「会話優先情報」に相当する。Ｓ１６およびＳ１７の処理が本発明の「モード決定手段」に相当する。
【０１１２】
また、Ｓ２２〜Ｓ２７において、リアルタイムに調整される対象は、残留エコーに限定されない。例えば、音に関連する情報が所定条件を満たすように、マイク特性と、スピーカ特性と、ダイナミックレンジのうち、少なくとも１つをさらに調整するようにしてもよい。例示として、以下の第一〜第三の変形例について説明する。
【０１１３】
第一の変形例について説明する。一般的に、スピーカ１１２に入力された音をスピーカ１１２が出力（再生）する場合には、高調波歪が発生する。例えば、３００Ｈｚの音を再生した場合、基本周波数（３００Ｈｚ）の倍数（６００Ｈｚ、９００Ｈｚなど）に高調波歪による音が発生する。このため、エコーキャンセラ１１６で処理して基本周波数のエコーを低減しても、高調波歪の音は十分に低減できない場合がある。この結果、エコーが残る場合がある。故に、第一の変形例では、ＣＰＵ１０１は、高調波歪による音圧レベルが所定値より大きくになった場合に、高調波歪による音圧レベルを所定値以下に低減する処理を行う。
【０１１４】
第一の変形例の場合、図７のＳ２２〜Ｓ２７が以下のように変形される。エコーキャンセラ１１６で処理された後の高調波歪の音圧レベルが検出される（Ｓ２２及びＳ２５）。検出された高調波歪の音圧レベルが基本周波数成分に対して所定値（例えば、３０ｄＢ）以下であるか否かが判断される（Ｓ２３及びＳ２６）。高調波歪の音圧レベルが所定値より大きい場合、高調波歪の音圧レベルが所定値以下ではないと判断され（Ｓ２３：ＮＯ、及び、Ｓ２６：ＮＯ）、高調波歪の音を低減するように処理が行われる（Ｓ２４及びＳ２７）。Ｓ２４及びＳ２７では、例えば、スピーカ１１２から出力する音の音量を下げることで、高調波歪の音圧レベルが所定値以下に下げられる。すなわち、スピーカ特性が調整される。また、他の処理の例としては、高調波歪の音を除去するフィルタによってマイク１１３から入力された音が処理され、高調波歪の音圧レベルが低減されてもよい。すなわち、マイク特性が調整されてもよい。また、例えば、Ｓ２４では、マイク特性を調整して高調波の音圧レベルを下げ、Ｓ２７ではスピーカ特性を調整して高調波の音圧レベルを下げてもよい。
【０１１５】
このように、第一の変形例では、高調波歪によるエコーを防止することができる。また、高調波歪の音圧レベルが所定条件（高調波歪の音圧レベルが所定値以下であるという条件）を満たすように自動で調整される。故に、ユーザが音調整装置１を操作するなどして、高調波歪の音圧レベルが所定値以下になるようにする必要がない。よって、ユーザの利便性が向上する。
【０１１６】
第一の変形例において、高調波歪の音圧レベルが本発明の「音関連情報」に相当し、高調波歪の音圧レベルが所定値以下であるという条件が本発明の「所定条件」に相当する。Ｓ２３及びＳ２６の処理を行うＣＰＵ１０１が本発明の「第二判断手段」に相当し、Ｓ２４及びＳ２７の処理を行うＣＰＵ１０１が本発明の「特性調整手段」に相当する。
【０１１７】
第二の変形例について説明する。マイク１１３から入力される信号に含まれる雑音レベルは、周囲の騒音や周囲の電気的特性によって変動する。例えば、音調整装置１のマイク１１３を電気機器の電源に近づけた場合にハムノイズが生じる虞がある。このため、第二の変形例では、ＣＰＵ１０１は、マイク１１３から入力される信号に含まれる雑音レベルが所定値より大きくなった場合にマイク特性を調整し、雑音レベルを所定値以下にする。
【０１１８】
第二の変形例の場合、図７のＳ２２〜Ｓ２７が以下のように変形される。マイク１１３から入力される信号に含まれる雑音レベルが検出される（Ｓ２２及びＳ２５）。検出された雑音レベルが所定値（例えば、−６０ｄＢ）以下であるか否が判断される（Ｓ２３及びＳ２６）。雑音レベルが所定値以下でなければ（Ｓ２３：ＮＯ、及びＳ２６：ＮＯ）、駆動回路１１５が制御され、雑音レベルが所定値以下となるようにマイク特性が調整される（Ｓ２４及びＳ２７）。Ｓ２４及びＳ２７では、例えば、雑音が発生した周波数の信号を低減できるノッチフィルタやハイパスフィルタ等によって、雑音が低減される。
【０１１９】
このように、第二の変形例では、周囲の騒音や周囲の電気的特性によって発生する雑音を低減することができる。また、雑音レベルが所定条件（雑音レベルが所定値以下であるという条件）を満たすように自動で調整される。故に、ユーザが音調整装置１を操作するなどして、雑音レベルが所定値以下となるようにする必要がない。よって、ユーザの利便性が向上する。
【０１２０】
第二の変形例において、雑音レベルが本発明の「音関連情報」に相当し、マイク１１３から入力される信号に含まれる雑音レベルが所定値以下であるという条件が、本発明の「所定条件」に相当する。Ｓ２３及びＳ２６の処理を行うＣＰＵ１０１が本発明の「第二判断手段」に相当し、Ｓ２４及びＳ２７の処理を行うＣＰＵ１０１が本発明の「特性調整手段」に相当する。
【０１２１】
第三の変形例について説明する。ＣＰＵ１０１は、他の拠点から送信された音声をスピーカ１１２から出力する場合にエコーキャンセラ１１６の機能を動作（設定）させ、他の拠点から音声が送信されていない場合にエコーキャンセラ１１６の機能を停止（解除）することができるとする。この場合、音声会議中にエコーキャンセラ１１６の動作と停止とが繰り返される場合がある。この結果、エコーキャンセラ１１６が動作している場合の音声と解除されている場合の音声とが他の拠点に送信される。エコーキャンセラ１１６の機能が動作している状態から停止されている状態に切り替えられると、エコーキャンセラ１１６の効果によって他の拠点で再生される雑音が急に静かになる場合がある。この場合、他の拠点のユーザは、通信が途切れたのではないかと不安になる虞がある。そこで、第三の変形例では、エコーキャンセラ１１６によって処理された後の雑音が、所定値（例えば、−８０ｄＢ）より小さい雑音レベルである場合に、所定値以上のレベルの雑音を他の拠点に送信する処理を行う。
【０１２２】
第三の変形例の場合、図７のＳ２２〜Ｓ２７が以下のように変形される。エコーキャンセラ１１６で処理された後の雑音レベルが検出される（Ｓ２２及びＳ２５）。検出された雑音レベルが所定値（例えば、−８０ｄＢ）以上であるか否かが判断される（Ｓ２３及びＳ２６）。雑音レベルが所定値より小さい場合、雑音レベルが所定値以上でないと判断され（Ｓ２３；ＮＯ、及び、Ｓ２６：ＮＯ）、駆動回路１１５が制御され、エコーキャンセラ１１６を動作させつつ、雑音レベルを所定値以上残すように処理が行われる（Ｓ２４及びＳ２７）。すなわち、マイク特性が調整される。これによって、所定値以上のレベルの雑音を含んだ音声が他の拠点に送信される。故に、他の拠点のユーザが、通信が途切れたのではないかと不安になることを防止できる。また、雑音レベルが所定条件（雑音レベルが所定値以上であるという条件）を満たすように自動で調整される。故に、ユーザが音調整装置１を操作するなどして、雑音レベルが所定値以上となるようにする必要がない。よって、ユーザの利便性が向上する。
【０１２３】
第三の変形例において、エコーキャンセラ１１６で処理された後の雑音レベルが本発明の「音関連情報」に相当し、雑音レベルが所定値以上であるという条件が、本発明の「所定条件」に相当する。Ｓ２３及びＳ２６の処理を行うＣＰＵ１０１が本発明の「第二判断手段」に相当し、Ｓ２４及びＳ２７の処理を行うＣＰＵ１０１が本発明の「特性調整手段」に相当する。
【０１２４】
また、他の変形例としては、常にＤＲＣを設定、又は解除しておくのではなく、通常状態ではＤＲＣを解除した状態にしておき、残留エコーが所定値以下ではない場合にのみ（Ｓ２３：ＮＯ、Ｓ２６：ＮＯ）、ＤＲＣを設定して残留エコーを低減するようにしてもよい（Ｓ２４及びＳ２７）。
【符号の説明】
【０１２５】
１    音調整装置
９５    優先対応データテーブル
１０１    ＣＰＵ
１０４    フラッシュメモリ
１０６    高音質再生ボタン
１０７    ビームフォーミングボタン
１０８    ボリュームボタン
１０９    マイクミュートボタン
１１２    スピーカ
１１３    マイク
１１６    エコーキャンセラ
１１８    モジュラージャック
１１９    ライン入出力端子
１２０    ディジーチェーン端子
１２１    ＵＳＢ端子
６０１，６０２，６１１，６１２    周波数特性
６０６，６０７    ダイナミックレンジ
【図１】
0005928102.tif 000002
【図２】
0005928102.tif 000003
【図３】
0005928102.tif 000004
【図４】
0005928102.tif 000005
【図５】
0005928102.tif 000006
【図６】
0005928102.tif 000007
【図７】
0005928102.tif 000008
【図８】
0005928102.tif 000009
【図９】
0005928102.tif 000010
【図１０】
0005928102.tif 000011
【図１１】
0005928102.tif 000012
【図１２】
0005928102.tif 000013
【図１３】
0005928102.tif 000014
【図１４】
0005928102.tif 000015